(57)【要約】【課題】各種電子機器の操作部に用いられるスライドスイッチに関し、コイルばねを用いることなく摺動体が自動で復帰する自動復帰式の構成のものを提供する。【解決手段】ケース２１内にスライド移動可能に配された摺動体２５に第一磁石４１を固定し、かつその摺動体２５へのスライド操作で近接してくる上記第一磁石４１との間で反発力が発生するように上記ケース２１内に第二磁石４２を固定状態で配し、摺動体２５を、その磁石４１、４２どうしの反発力で自動的に復帰させる構成とした。【選択図】図１
2011210601.tif 000002
【特許請求の範囲】
【請求項１】
樹脂製のケース内に、弾性可動接片を保持した摺動体が直線的なスライド移動可能に配され、その摺動体へのスライド操作により上記ケースの内底面に配された所定の固定接点間が上記弾性可動接片で短絡され、その操作をやめると上記摺動体が元の位置に自動復帰するスライドスイッチであって、
上記摺動体を上記ケース内に収容するように上記ケースに固定されたカバーや上記固定接点が非磁性材料のもので構成されると共に、上記スライド操作後の摺動体が、磁石による吸引力または反発力を用いて自動復帰される構成としたスライドスイッチ。
【請求項２】
摺動体に第一磁石が固定され、かつスライド操作により近接してくる上記第一磁石との間で反発力が発生するように上記ケース内に第二磁石を固定状態で配し、上記摺動体がスライド操作された状態から上記反発力を用いて上記摺動体が自動復帰される請求項１記載のスライドスイッチ。
【請求項３】
摺動体への非操作状態で、上記摺動体の不用意な移動を防止するための規制手段を付加した請求項２記載のスライドスイッチ。
【請求項４】
摺動体に第一磁石または第一磁性体が固定され、かつ上記摺動体の非操作状態で、上記第一磁石との間で吸引力が働くように上記ケース内に第二磁石もしくは第二磁性体が固定状態で配され、上記摺動体がスライド操作された状態から上記吸引力を用いて上記摺動体が自動復帰される請求項１記載のスライドスイッチ。
【請求項５】
摺動体がスライド操作された状態で、上記摺動体に対し復帰方向に付勢力を与えるための付勢手段を付加した請求項４記載のスライドスイッチ。
【請求項６】
付勢手段として、スライド操作に伴う摺動体の移動に応じて上記摺動体で撓ませられる弾性アームをカバーに設けた請求項５記載のスライドスイッチ。
【発明の詳細な説明】
【技術分野】
【０００１】
本発明は、各種電子機器の操作部に用いられるスライドスイッチに関するものである。
【背景技術】
【０００２】
電子機器の操作部には各種スイッチが搭載され、上記スイッチとしても機器の小型化などに伴い小型構成で投影面積の小さいものが好まれている。そのようなスイッチは、プッシュ操作型のものとスライド操作型のものが大半を占めている。以下に、スライド操作型で自動復帰式の従来のスライドスイッチについて、図面を用いて説明する。
【０００３】
図１０は従来のスライドスイッチのカバーを除いた状態の上面図、図１１は同分解斜視図、図１２は同断面図、図１３は同非操作状態での弾性可動接片位置を示すためのケースの上面図である。
【０００４】
同図において、１は略直方体状の箱形で上面が開放した成形樹脂製のケースであり、一対の長辺側の外壁１Ａ、１Ｂの内面どうし、また一対の短辺側の外壁１Ｃ、１Ｄの内面どうしは、各々平行関係になっている。そして、長辺側の外壁１Ｂとそれに隣接する短辺側の外壁１Ｃで構成される角部内の位置には矩形厚肉部２が壁部に一体状態で設けられている。この矩形厚肉部２が設けられることによって、ケース１の内部空間は、上面視で、長手方向に沿って長寸の第一空間部３と長手方向に沿って短寸の第二空間部４とが長辺側どうしで互いに繋がった形状のものとなっている。
【０００５】
そして、第一空間部３の底面には、図１３にも示しているように、独立した固定接点１１、１２、１３が長手方向に沿って露出状態で並べて配されている。各固定接点１１、１２、１３から延出されている中間部は、それぞれ埋設状態で長辺側の外壁１Ｂ側に向けて延出され外壁１Ｂから外方へ突出している接続端子１１Ａ、１２Ａ、１３Ａに各々繋がっている。
【０００６】
５は弾性可動接片６を下面に保持した成形樹脂からなる摺動体で、ケース１長辺側の外壁１Ａに設けられた切欠部から外方に突出する操作レバー５Ａと、それとは反対側に突出形成された突出部５Ｂを有している。摺動体５は、上記ケース１の外壁１Ａ内面や外壁１Ｂ内面などでガイドされて各空間部３、４の長手方向に沿って平行に直線状の往復運動をするようにケース１内に組み込まれている。
【０００７】
摺動体５下面の弾性可動接片６は、第一空間部３内の底面上を摺接し、摺動体５の操作位置によって、固定接点１１と１２との間、もしくは固定接点１２と１３との間を短絡するように構成されている。
【０００８】
７は自動復帰用のコイルばねで、摺動体５の突出部５Ｂの左側面と矩形厚肉部２における右側面との間に一定の撓みによる反発力をもたせて、ケース１の第二空間部４内に収容状態で配されており、摺動体５を上記ケース１の短辺側の外壁１Ｄ内面側に常時押し付けている。この状態では、弾性可動接片６は、図１３に示したように固定接点１１と１２との間を短絡している。
【０００９】
そして、８は、摺動体５およびコイルばね７がケース１から飛び出さないようにケース１上方を覆うように結合されている金属板製のカバーである。
【００１０】
このように従来の自動復帰式スライドスイッチは構成され、次にその動作について説明する。
【００１１】
図１０の状態から、操作レバー５Ａに左方向に力を加えて摺動体５をコイルばね７の反発力に抗して左に移動させると、弾性可動接片６は固定接点１１と１２との間の短絡を断って固定接点１２と１３との間を短絡する。それらの信号は接続端子１１Ａ、１２Ａ、１３Ａから検出できる。
【００１２】
そして、操作レバー５Ａに加えていた押し力を除くと、摺動体５はコイルばね７の反発力により自動的に押し戻されて図１０の状態に戻り、弾性可動接片６も再び固定接点１１、１２間を短絡する状態となるものであった。
【００１３】
なお、この出願の発明に関連する先行技術文献情報としては、例えば、特許文献１、特許文献２が知られている。
【先行技術文献】
【特許文献】
【００１４】
【特許文献１】特開平９−３２６２１７号公報
【特許文献２】特開平５−６２５６１号公報
【発明の概要】
【発明が解決しようとする課題】
【００１５】
しかしながら、上記従来の自動復帰式スライドスイッチは、摺動体５を元の非操作位置に復帰させる自動復帰機構にコイルばね７を用いており、その所定の復帰力を得るにはコイルばね７として所定の巻き数や径のものを用いなければならず、小型化などを阻害する要因になっていた。
【００１６】
本発明は、このような従来の課題を解決するものであり、コイルばねを用いることなく構成した摺動体の自動復帰機構を備えた自動復帰式のスライドスイッチを提供することを目的とする。
【課題を解決するための手段】
【００１７】
上記目的を達成するために本発明は、以下の構成を有するものである。
【００１８】
本発明の請求項１に記載の発明は、樹脂製のケース内に、弾性可動接片を保持した摺動体が直線的なスライド移動可能に配され、その摺動体へのスライド操作により上記ケースの内底面に配された所定の固定接点間が上記弾性可動接片で短絡され、その操作をやめると上記摺動体が元の位置に自動復帰するスライドスイッチであって、上記摺動体を上記ケース内に収容するように上記ケースに固定されたカバーや上記固定接点が非磁性材料のもので構成されると共に、上記スライド操作後の摺動体が、磁石による吸引力または反発力を用いて自動復帰される構成としたスライドスイッチである。
【００１９】
これであれば、コイルばねを用いることなく構成した摺動体の自動復帰機構を備えさせているため、小型で投影面積の小さい自動復帰式のスライドスイッチが実現できるという作用を有する。
【００２０】
請求項２に記載の発明は、請求項１記載の発明において、摺動体に第一磁石が固定され、かつスライド操作により近接してくる上記第一磁石との間で反発力が発生するように上記ケース内に第二磁石を固定状態で配し、上記摺動体がスライド操作された状態から上記反発力を用いて自動復帰されるものであり、スライド操作で近接される磁石どうしでの反発力を用いた当該構成であれば、摺動体の復帰動作の初動時にその反発力が大きく働くものに実現できるという作用を有する。
【００２１】
請求項３に記載の発明は、請求項２記載の発明において、摺動体への非操作状態で、上記摺動体の不用意な移動を防止するための規制手段を付加したものであり、磁力による反発力は距離の二乗で弱くなっていくが、その磁石どうし間が最も離れる非操作状態でも規制手段によって摺動体位置が安定した状態のものに構成できるという作用を有する。
【００２２】
請求項４に記載の発明は、請求項１記載の発明において、摺動体に第一磁石または第一磁性体が固定され、かつ上記摺動体の非操作状態で、上記第一磁石との間で吸引力が働くように上記ケース内に第二磁石もしくは第二磁性体が固定状態で配され、上記摺動体がスライド操作された状態から上記吸引力を用いて自動復帰されるものであり、上記吸引力で摺動体が自動復帰されると共に、非操作位置で最も大きくなる上記吸引力によって復帰後の摺動体位置が安定して維持されるものに構成できるという作用を有する。
【００２３】
請求項５に記載の発明は、請求項４記載の発明において、摺動体がスライド操作された状態で、上記摺動体に対し復帰方向に付勢力を与えるための付勢手段を付加したものであり、磁力による吸引力は距離の二乗で弱くなっていくが、当該構成のように摺動体へのスライド操作した状態で摺動体に対し復帰方向への付勢力を与える付勢手段を付加すると、上記摺動体の復帰動作の初動を補助して上記復帰動作が滑らかなものに実現できるという作用を有する。
【００２４】
請求項６に記載の発明は、請求項５記載の発明において、付勢手段として、スライド操作に伴う摺動体の移動に応じて上記摺動体で撓ませられる弾性アームをカバーに設けたものであり、簡素な構成で付勢手段が付加されたものに構成できるという作用を有する。
【発明の効果】
【００２５】
以上のように、本発明によれば、コイルばねを用いることなく構成した摺動体の自動復帰機構を備えさせたものとしたため、小型で投影面積の小さい自動復帰式のスライドスイッチを提供できるという有利な効果が得られる。
【図面の簡単な説明】
【００２６】
【図１】本発明の一実施の形態によるスライドスイッチのカバーを除いた状態の上面図
【図２】同分解斜視図
【図３】同断面図
【図４】同非操作状態での弾性可動接片位置を示すためのケースの上面図
【図５】同操作状態でのカバーを除いた状態の上面図
【図６】同他の変形事例によるスライドスイッチのカバーを部分的に切り欠いた状態の上面図
【図７】同分解斜視図
【図８】同ケースの上面図
【図９】同操作状態での断面図
【図１０】従来のスライドスイッチのカバーを除いた状態の上面図
【図１１】同分解斜視図
【図１２】同断面図
【図１３】同非操作状態での弾性可動接片位置を示すためのケースの上面図
【発明を実施するための形態】
【００２７】
以下、本発明の実施の形態について、図面を用いて説明する。
【００２８】
（実施の形態）
図１は本発明の一実施の形態によるスライドスイッチのカバーを除いた状態の上面図、図２は同分解斜視図、図３は同断面図、図４は同非操作状態での弾性可動接片位置を示すためのケースの上面図である。
【００２９】
同図において、２１は略直方体状の箱形で上面が開放した成形樹脂製のケースであり、一対の長辺側の外壁２１Ａ、２１Ｂの内面どうし、また一対の短辺側の外壁２１Ｃ、２１Ｄの内面どうしは、各々平行関係になっていると共に、長辺側の外壁２１Ｂとそれに隣接する短辺側の外壁２１Ｃで構成される角部内の位置には矩形厚肉部２２が壁部に一体状態で設けられている。この矩形厚肉部２２が設けられることによって、ケース２１の内部空間は、上面視で、長手方向に沿って形成された長寸の第一空間部２３と、右側位置に長手方向に沿って形成された短寸の第二空間部２４とが長辺側どうしで互いに繋がる形状のものとなっている。
【００３０】
そして、第一空間部２３の底面には、図４に示したように、独立した固定接点３１、３２、３３が上記長手方向に沿って露出状態で並べて配され、それら各々の接続端子３１Ａ、３２Ａ、３３Ａは、第二空間部２４側となる外壁２１Ｂから外方へ突出していることや、固定接点３１、３２、３３とその接続端子３１Ａ、３２Ａ、３３Ａとの間の中間部は埋設状態とされていることは従来と同じである。ただし、固定接点３１、３２、３３は、接続端子３１Ａ、３２Ａ、３３Ａおよびその間を繋ぐ中間部を含めて、銅板などの非磁性材料から形成されている。
【００３１】
２５は、弾性可動接片２６を下面に保持した成形樹脂からなる摺動体で、ケース２１長辺側の外壁２１Ａに設けられた切欠部から外方に突出する操作レバー２５Ａと、それとは反対側に突出形成された突出部２５Ｂを有している。突出部２５Ｂは、上面視で摺動体２５の右端位置に設けられ、その左側面には下方部分から左側に水平に延設された第一磁石設置部２５Ｃが一体に設けられている。摺動体２５は、上記ケース２１の外壁２１Ａ内面や外壁２１Ｂ内面などでガイドされて各空間部２３、２４の長手方向に沿って平行に直線状の往復運動をするようにケース２１内に組み込まれている。なお、摺動体２５下面の弾性可動接片２６は、従来同様に、第一空間部２３内の底面上を摺接し、摺動体２５の操作位置によって、固定接点３１と３２との間、もしくは固定接点３２と３３との間を短絡するようになっている。
【００３２】
上述した摺動体２５の突出部２５Ｂは、非操作状態では第二空間部２４内の右端に位置している。そして、その突出部２５Ｂの第一磁石設置部２５Ｃに、摺動体２５のスライド操作方向に各磁極が平行関係になるように第一磁石４１が水平状態に接着剤などを用いて固定されている。つまり、図１などに示したように、第一磁石４１は、Ｎ極が摺動体２５の突出部２５Ｂ左側面に当接状態で第一磁石設置部２５Ｃに固定され、Ｓ極は矩形厚肉部２２側に向いている。
【００３３】
一方、ケース２１の第二空間部２４内の左端位置には、第二磁石設置部２１Ｅが設けられており、その第二磁石設置部２１Ｅに、第一磁石４１と同様に摺動体２５のスライド操作方向に各磁極が平行関係に位置され、しかも第一磁石４１に対向する面側がＳ極とされて第一磁石４１と反発状態になるように第二磁石４２が水平状態に接着剤などを用いて固定されている。なお、当該構成では、第一磁石４１と第二磁石４２とを同じものを用いている。そして、第二磁石設置部２１Ｅとしては、図３に示したように、第二磁石４２の配設高さが第一磁石４１と同じ高さ位置になるように矩形厚肉部２２の右側面に水平段部を構成し、そこを第二磁石設置部２１Ｅとしている。なお、上述したＳ極どうしが対向関係になる配置以外に、第一磁石４１と第二磁石４２のＮ極どうしが対向関係になる配置のものとしてもよく、対向する面側が同じ磁極どうしであればよい。
【００３４】
ケース２１の上部は、非磁性材料で板状に形成されているカバー２８で覆われている。
【００３５】
なお、非操作状態の摺動体２５位置を安定させるための規制手段として、第二空間部２４内の右端位置に保持用磁性体を固定状態で配したものとしてもよい。その構成とすれば、第一磁石４１の磁力によって第一磁石４１が上記保持用磁性体に吸引状態となって摺動体２５が安定して停止状態に維持されるものにできる。なお、保持用磁性体の設置位置は上記箇所のみに限定されることはなく、相応する第二空間部２４の底部や外壁２１Ｂ、２１Ｄ、カバー２８側などに設けられていてもよい。また、保持用磁性体の代わりに、同様の作用を果たす保持用磁石を配してもよい。
【００３６】
以上のように当該実施の形態によるスライドスイッチは構成され、次にその動作について説明する。
【００３７】
摺動体２５の非操作状態である初期位置では、図１や図３に示したように、摺動体２５は第一磁石４１と第二磁石４２とのＳ極どうしの反発力で摺動体２５の右側面が外壁２１Ｄ内面に当接した停止状態となっている。また、弾性可動接片２６は、図４に示したように固定接点３１と３２との間を短絡している。その状態から操作レバー２５Ａを左方向にスライド操作すると、摺動体２５が左に移動する。それに応じて、弾性可動接片２６が第一空間部２３内の底面上を摺接して固定接点３２と３３との間を短絡する位置に至り、その後、図５の操作状態でのカバーを除いた状態の上面図に示すように、摺動体２５の左側面が外壁２１Ｃ内面に当接してケース２１内で位置規制されて停止状態になると共に、第一磁石４１のＳ極は第二磁石４２のＳ極に所定隙間を保って近接した対向状態となる。このときに磁石４１、４２どうしが接触しないように摺動体２５の移動範囲を設定しておくと不要な音の発生を防止できて好ましい。
【００３８】
そして、操作レバー２５Ａに対する左方向へのスライド操作力を除くと、近接した第一磁石４１と第二磁石４２とのＳ極どうしの反発力で、摺動体２５が自動的に右に移動され非操作位置まで自動復帰される。
【００３９】
以上のように、当該構成では、コイルばねを用いることなく、磁石４１、４２で構成した自動復帰機構を搭載したものとしているため、従来品のようにコイルばねの径や長さ等による小型化への制約がなく、特に第二空間部２４側の小型薄型化が図れて製品外形が小型薄型で投影面積の小さいものに容易に構成することができる。
【００４０】
また、当該構成のものは、摺動体２５の復帰動作の初動時に上記の反発力が最も大きく働くものとして実現できるため、操作力を解除した際に応答性に優れるものとなる。
【００４１】
なお、上述したように、非操作状態の摺動体２５位置を安定させるための規制手段として保持用磁性体や相応する保持用磁石を付加した構成とすれば第一磁石４１を有効活用しつつ非操作状態での摺動体２５位置がより安定するものにできて好ましい。なお、それ以外の規制手段を付加したものとしてもよい。
【００４２】
なお、第一磁石４１と第二磁石４２とによる反発力を得るための磁石配置としては、上述したもの以外に各磁石の同じ磁極どうしが共に横並び位置となる配置関係のものとしてもよい。
【００４３】
以上には、第一磁石４１と第二磁石４２との間の反発力を用いて摺動体２５が自動復帰されるものを説明したが、第一磁石４１と第二磁石４２との間の吸引力を用いた構成とすることも可能である。
【００４４】
次に、その変形事例について説明する。図６はその変形事例によるスライドスイッチのカバーを部分的に切り欠いた状態の上面図、図７は同分解斜視図、図８は同ケースの上面図である。
【００４５】
同図において、５１は略直方体状の箱形で上面が開放した成形樹脂製のケースであり、長辺側の外壁５１Ａ、５１Ｂと短辺側の外壁５１Ｃ、５１Ｄを有すると共に矩形厚肉部５２が設けられていることは上述したものと同様であるが、矩形厚肉部５２は長辺側の外壁５１Ｂと短辺側の外壁５１Ｄで構成される角部内の位置に壁部に一体状態で設けられている。その矩形厚肉部５２が設けられることによって、ケース５１の内部空間は、上面視で、長手方向に沿って形成された長寸の第一空間部５３と、左側位置に長手方向に沿って形成された短寸の第二空間部５４とが長辺側どうしで互いに繋がる形状のものとなっている。そして、図８に示すように、第一空間部５３の底面には固定接点３１、３２、３３が並べて配され、それらの接続端子３１Ａ、３２Ａ、３３Ａはケース５１長辺側の外壁５１Ｂから突出している。
【００４６】
ケース５１の内部空間には、摺動体５５が長手方向に沿ってスライド移動可能に配されている。摺動体５５は、ケース５１長辺側の外壁５１Ａに設けられた切欠部から外方に突出する操作レバー５５Ａと、それとは反対側に突出形成された突出部５５Ｂを有している。突出部５５Ｂは、上面視では摺動体５５の左端位置に設けられ、その右側面には下方部分から右側に水平に延設された第一磁石設置部５５Ｃが一体に設けられている（図７参照）。
【００４７】
摺動体５５下面には、弾性可動接片２６が固定されており、非操作状態である初期位置では弾性可動接片２６で固定接点３１と３２の間が短絡され、操作レバー５５Ａの左方向へのスライド操作で摺動体５５が左に移動されて固定接点３２と３３の間が短絡されることは上述のものと同様である。
【００４８】
そして、当該構成のものでは、上述した摺動体５５の突出部５５Ｂは非操作状態で第二空間部５４内の中央右寄りに位置している。そして、突出部５５Ｂの第一磁石設置部５５Ｃには、摺動体２５のスライド操作方向に各磁極が平行関係になるように第一磁石４１が水平状態に固定されている。つまり、図６に示したように、第一磁石４１は、Ｎ極が摺動体５５の突出部５５Ｂ右側面に当接状態で第一磁石設置部５５Ｃに固定され、Ｓ極は矩形厚肉部５２側に向いている。一方、第二空間部５４の右端位置には、図８に示したように、第二磁石設置部５１Ｅが設けられており、その第二磁石設置部５１Ｅに、第一磁石４１と同様に摺動体５５のスライド操作方向に各磁極が平行関係に位置され、しかも第一磁石４１に対向する面側がＮ極とされて第一磁石４１と吸引状態になるように第二磁石４２が水平状態に固定されている。なお、第一磁石４１と第二磁石４２とを同じものを用いていることや、第二磁石設置部５１Ｅとして、第二磁石４２の配設高さが第一磁石４１と同じ高さ位置となるように矩形厚肉部５２の左側面に水平段部を構成し、そこを第二磁石設置部５１Ｅとしていることは上述説明したものと同様である。なお、第一磁石４１のＮ極と第二磁石４２のＳ極が対向する配置とされていてもよい。
【００４９】
さらに、図８に示したように、ケース５１に設けられた第二磁石設置部５１Ｅの左端位置には、非操作状態で第一磁石４１と第二磁石４２との間に介在して磁石どうしの直接的な衝突を防止するためのリブ５１Ｆがケース５１を構成する樹脂で一体に設けられている。なお、リブ５１Ｆを無くして、その代わりに緩衝材などを介在させた構成としてもよい。
【００５０】
そして、当該構成のものは、非操作状態では図６に示したように、第一磁石４１と第二磁石４２とがリブ５１Ｆ厚みによる所定隙間を保って近接した吸引状態となって摺動体５５は安定した停止状態になっている。
【００５１】
５８は、ケース５１上に結合された非磁性材料で弾性を有する板材からなるカバーである。このカバー５８には、摺動体５５の左方向へのスライド移動時に突出部５５Ｂによって斜め上方側に撓められていくように、左方の自由端側にいくにつれて下方に傾斜状に下がっていく弾性アーム５９が一体に曲げ形成されている。なお、この弾性アーム５９形成時に形成される孔を覆うように、カバー５８上面にフィルム部材を貼り付けるなどすると好ましい。
【００５２】
当該構成のものは、以上のように構成され、操作レバー５５Ａを図６中で左方向にスライド操作すると、突出部５５Ｂの上面から左側面にかけての箇所で弾性アーム５９を押し上げつつ摺動体５５が左に移動していく。それに応じて、スイッチ出力が切り替わり、その後、摺動体５５の左側面が外壁５１Ｃ内面に当接した図９に示す状態となる。なお、上記動作状態を滑らかなものとするために、図９にも示しているように、突出部５５Ｂの上面から左側面にかけての箇所は、断面視で円弧状面のものに構成している。また、上記突出部５５Ｂ形状であれば、弾性アーム５９の復元力を摺動体５５の復帰方向に向けて作用させるためにも好ましく、上記の操作状態から操作力を除くと、摺動体５５の突出部５５Ｂに加わっている弾性アーム５９の元の形状に戻る復元力、さらにそれに加えて第一磁石４１と第二磁石４２との吸引力によって、摺動体５５は元の位置に戻りスイッチ出力も切り替わる。
【００５３】
なお、磁力による吸引力は距離の二乗で弱くなっていくが、当該構成であれば、弾性アーム５９の復元力が摺動体５５の復帰動作の初動を補助して滑らかに摺動体５５が右方向に復帰し始めるものに実現できる。そして、その初動時に弾性アーム５９からの復元力が効率よく摺動体５５に作用するように、突出部５５Ｂおよび弾性アーム５９の形状や、両者間の弾接のさせ方を考慮しておくことは重要である。その詳細設定は適宜行えばよく、上述構成のもの以外であってもよい。
【００５４】
また、第一磁石４１と第二磁石４２との間の吸引力は、摺動体５５の復帰位置つまり初期位置で最も大きくなるため、上記復帰動作に応じて第一磁石４１と第二磁石４２が衝突して衝突音が発生しないように、磁石４１、４２どうしの間の位置に樹脂製のリブ５１Ｆなどを介在させる構成としておくことも有用である。そして、復帰後の摺動体５５は、その最も大きい吸引力で安定した停止状態で維持される。
【００５５】
なお、上記には、スライド操作状態で摺動体５５に復帰方向への付勢力を与える付勢手段として、カバー５８に弾性アーム５９を設けたものとした。当該構成とすれば、簡素な構成で付勢手段を付加できて好ましいが、付勢手段はこの構成のみには限定されず、摺動体５５への操作状態で圧縮されるように移動方向側の位置に弾性体を介在させる構成等としてもよい。また、付勢手段は必要に応じて付加すればよく、付勢手段を有しないものとしてもよい。
【００５６】
そして、上記には第一磁石４１と第二磁石４２とを、共に磁極位置がスライド操作方向に平行となるように配した配置関係のものを説明したが、各磁石の異なる磁極どうしが共に横並び位置となる配置関係のものとしてもよい。
【００５７】
また、上記には第一磁石４１と第二磁石４２とを用いたものを説明したが、磁力による吸引力を用いる場合には、各種のバリエーション展開も可能となる。つまり、摺動体５５に第一磁石４１を固定したものの場合には、第二磁石４２の代わりに第二磁性体をケース５１に固定状態で配した構成としてもよい。また、ケース５１に第二磁石４２を固定状態で配したものの場合には、第一磁石４１の代わりに第一磁性体を摺動体５５に固定した構成としてもよい。いずれのものであっても、磁力による吸引力で摺動体５５が自動復帰すると共に非操作状態で摺動体５５が安定して初期位置に維持されるものに構成することができる。
【００５８】
なお、カバー５８に弾性アーム５９を設けたものとする構成思想は、図１などを用いて説明した磁石の反発力を用いた構成のものにも適用可能で、さらには、非操作時での規制手段として転用することもできる。
【００５９】
なお、本発明は、スイッチ接点部構成などには何等限定されることはなく、磁力による摺動体の自動復帰機構を有したもの全てが本発明の範疇に入る。
【産業上の利用可能性】
【００６０】
本発明によるスライドスイッチは、小型で投影面積の小さい自動復帰式のスライドスイッチとして提供することができ、主に各種電子機器の操作部等に有用である。
【符号の説明】
【００６１】
２１、５１  ケース
２１Ａ〜２１Ｄ、５１Ａ〜５１Ｄ  外壁
２１Ｅ、５１Ｅ  第二磁石設置部
２２、５２  矩形厚肉部
２３、５３  第一空間部
２４、５４  第二空間部
２５、５５  摺動体
２５Ａ、５５Ａ  操作レバー
２５Ｂ、５５Ｂ  突出部
２５Ｃ、５５Ｃ  第一磁石設置部
２６  弾性可動接片
２８、５８  カバー
３１、３２、３３  固定接点
３１Ａ、３２Ａ、３３Ａ  接続端子
４１  第一磁石
４２  第二磁石
５１Ｆ  リブ
５９  弾性アーム
【図１】
2011210601.tif 000003
【図２】
2011210601.tif 000004
【図３】
2011210601.tif 000005
【図４】
2011210601.tif 000006
【図５】
2011210601.tif 000007
【図６】
2011210601.tif 000008
【図７】
2011210601.tif 000009
【図８】
2011210601.tif 000010
【図９】
2011210601.tif 000011
【図１０】
2011210601.tif 000012
【図１１】
2011210601.tif 000013
【図１２】
2011210601.tif 000014
【図１３】
2011210601.tif 000015